(57)【要約】【課題】小型の過渡電圧サージ抑制装置を提供する。【解決手段】過渡電圧サージ抑制装置は、コンパクトな厚さを有するバリスタアセンブリ、及びバリスタ要素を外部回路から遮断するため、直線軸に沿い移動可能な分離可能接触ブリッジを支持する熱遮断アセンブリを有する。【選択図】図２７
2013536562.tif 000002
【特許請求の範囲】
【請求項１】
バリスタアセンブリを有する過渡電圧サージ抑制装置であって、
前記バリスタアセンブリは、
対向する第１及び第２の側面を有し、印加電圧に応じて、高インピーダンスモードと低インピーダンスモードで動作可能なバリスタ要素と、
前記バリスタの第１の側面上に備えられる第１の導電性端子と、
前記バリスタ要素の前記第２の側面上に備えられる第２の導電性端子と、
前記第１及び第２の端子の１つと前記バリスタを相互接続する分離可能接触ブリッジと、
熱遮断要素と、
を有し、前記分離可能接触ブリッジは、前記熱遮断要素に支持され、前記バリスタ要素に対する直線軸に沿い前記熱遮断要素と共に移動可能である、過渡電圧サージ抑制装置。
【請求項２】
前記バリスタ要素の前記第１の側面上に備えられた接点を更に有し、前記分離可能接触ブリッジは前記接点と接続する、請求項１に記載の過渡電圧サージ抑制装置。
【請求項３】
前記接点は、接触片及び接触プレートの１つを有する、請求項１に記載の過渡電圧サージ抑制装置。
【請求項４】
前記熱遮断要素は、レールに沿いスライド可能に移動可能である、請求項３に記載の過渡電圧サージ抑制装置。
【請求項５】
前記移動可能な熱遮断要素は、遮断位置に向かいバイアスをかけられる、請求項３に記載の過渡電圧サージ抑制装置。
【請求項６】
前記第１の導電性端子は、縦方向の軸を有する端子ブレードを有し、前記熱遮断要素は、前記縦方向の軸に平行な軸に沿い移動可能である、請求項３に記載の過渡電圧サージ抑制装置。
【請求項７】
前記第１の導電性端子は、縦方向の軸を有する端子ブレードを有し、前記熱遮断要素は、前記縦方向の軸に垂直な軸に沿い移動可能である、請求項３に記載の過渡電圧サージ抑制装置。
【請求項８】
前記装置に対する局部状態指示器を更に有する、請求項１に記載の過渡電圧サージ抑制装置。
【請求項９】
前記局部状態指示器は、前記装置が第１の動作状態にあるときに少なくとも第１の色、及び第２の動作状態にあるときに少なくとも第２の色を表示する、請求項８に記載の過渡電圧サージ抑制装置。
【請求項１０】
前記局部状態指示器は、第１の位置と第２の位置との間でスライド可能に移動可能である、請求項８に記載の過渡電圧サージ抑制装置。
【請求項１１】
前記局部状態指示器は、前記熱遮断要素と連結されて、共に移動可能である、請求項８に記載の過渡電圧サージ抑制装置。
【請求項１２】
前記バリスタアセンブリがその中に備えられる筺体を更に有し、
前記局部状態指示器は、第１及び第２のタブを有し、前記第１及び第２のタブは、前記装置の遮断動作状態を示すために、前記筺体から突出する、請求項８に記載の過渡電圧サージ抑制装置。
【請求項１３】
前記装置に対するリモート状態指示器を更に有する、請求項１に記載の過渡電圧サージ抑制装置。
【請求項１４】
前記リモート状態指示器はスイッチを有する、請求項１３に記載の過渡電圧サージ抑制装置。
【請求項１５】
前記スイッチは、前記装置が遮断状態にあるとき、前記熱遮断要素により作動される、請求項１４に記載の過渡電圧サージ抑制装置。
【請求項１６】
前記バリスタ要素は、エポキシコーティングされた酸化金属バリスタを有する、請求項１に記載の過渡電圧サージ抑制装置。
【請求項１７】
前記第１の導電性端子と前記第２の導電性端子のそれぞれは、端子ブレードを有する、請求項１に記載の過渡電圧サージ抑制装置。
【請求項１８】
前記バリスタ要素に対して固定されて取り付けられる絶縁基本プレートを更に有し、前記絶縁基本プレートは、対向する第１及び第２の側面を有し、前記バリスタの前記対向する第１及び第２の側面の１つは、前記プレートの前記対向する側面の１つに表面実装される、請求項１に記載の過渡電圧サージ抑制装置。
【請求項１９】
前記絶縁基本プレートは、セラミックプレートである、請求項１８に記載の過渡電圧サージ抑制装置。
【請求項２０】
前記セラミックプレートは、アルミナセラミックを有する、請求項１９に記載の過渡電圧サージ抑制装置。
【請求項２１】
前記絶縁基本プレートは、前記絶縁基本プレートの前記対向する側面を通り、その間で伸びる接触要素を更に有する、請求項１８に記載の過渡電圧サージ抑制装置。
【請求項２２】
前記絶縁基本プレートは中央部の開口を有し、前記接触要素は前記開口を満たす、請求項２１に記載の過渡電圧サージ抑制装置。
【請求項２３】
前記接触要素は、実質的に円形である、請求項２２に記載の過渡電圧サージ抑制装置。
【請求項２４】
前記接触要素は、はんだ片を有する、請求項２２に記載の過渡電圧サージ抑制装置。
【請求項２５】
前記接触要素は、プレート接点を有し、前記プレート接点は、前記絶縁基本プレートの前記対向する側面を通り、その間で伸びる突出部を有する、請求項２１に記載の過渡電圧サージ抑制装置。
【請求項２６】
短絡遮断要素を更に有し、前記装置に対する動作の少なくとも第１及び第２のモードを提供する、請求項１に記載の過渡電圧サージ抑制装置。
【請求項２７】
前記第１及び第２の導電性端子の少なくとも１つは、陥没により分離された盛上がった取り付け表面を有する表面を有する、請求項１に記載の過渡電圧サージ抑制装置。
【請求項２８】
バリスタアセンブリを有する過渡電圧サージ抑制装置であって、
前記バリスタアセンブリは、
対向する第１及び第２の側面を有し、印加電圧に応じて、高インピーダンスモードと低インピーダンスモードで動作可能なバリスタ要素と、
前記バリスタの第１の側面上に備えられる第１の導電性端子と、
前記バリスタ要素の前記第２の側面上に備えられる第２の導電性端子と、
前記第１及び第２の端子の１つと前記バリスタを相互接続する分離可能接触ブリッジと、
を有し、前記分離可能接触ブリッジは、前記バリスタ要素に３重ブレーク遮断を供給するよう構成される、過渡電圧サージ抑制装置。
【請求項２９】
前記分離可能接触ブリッジは、前記第１及び第２の導電性端子の１つと直接に接続される、請求項２８に記載の過渡電圧サージ抑制装置。
【請求項３０】
前記バリスタ要素は、エポキシカプセル化された酸化金属バリスタを有する、請求項２８に記載の過渡電圧サージ抑制装置。
【請求項３１】
前記バリスタ要素と表面接触する絶縁基本プレートを更に有する、請求項２８に記載の過渡電圧サージ抑制装置。
【請求項３２】
前記基本プレートは、その中に少なくとも１つの開口を有し、前記装置は前記開口を通して伸びる接触要素を更に有する、請求項２８に記載の過渡電圧サージ抑制装置。
【請求項３３】
接触要素は、接触ビア、導電片、及びプレート突起の１つを有する、請求項２８に記載の過渡電圧サージ抑制装置。
【請求項３４】
熱遮断要素を更に有し、前記分離可能接触ブリッジは、前記熱遮断要素に支持され、前記バリスタ要素に対する直線軸に沿い前記熱遮断要素と共に移動可能である、請求項２８に記載の過渡電圧サージ抑制装置。
【請求項３５】
前記第１及び第２の導電性端子の少なくとも１つは、縦方向の軸を有する接触ブレードを有し、前記直線軸は前記縦方向の軸に平行に伸びる、請求項３４に記載の過渡電圧サージ抑制装置。
【請求項３６】
局部状態指示器を更に有し、前記局部状態指示器は、前記熱遮断要素により支持されて、共に移動可能である、請求項３４に記載の過渡電圧サージ抑制装置。
【請求項３７】
前記局部状態指示器は、色分けされる、請求項３６に記載の過渡電圧サージ抑制装置。
【請求項３８】
リモート状態要素を更に有し、前記リモート状態要素は、前記熱遮断要素の動きにより作動される、請求項３６に記載の過渡電圧サージ抑制装置。
【請求項３９】
短絡遮断要素を更に有し、前記分離可能接触ブリッジは、第１の位置及び第２の位置において前記短絡遮断要素に直接に接続される、請求項２８に記載の過渡電圧サージ抑制装置。
【発明の詳細な説明】
【技術分野】
【０００１】
本発明は、一般的に回路保護装置に関し、詳細には過渡電圧サージ抑制装置に関する。
【背景技術】
【０００２】
サージ保護装置として呼ばれることもある過渡電圧サージ抑制装置は、今日の技術社会が依存する拡大し続ける数の電子機器を、短絡の高電圧又は過渡区間から保護するための必要性に応じて、発展してきた。電気的過渡電圧は、例えば、電子機器自体と人間の接触により伝播され、あるいは電子機器に電力供給するライン側（line side）電子回路での特定条件を介して伝播される静電気放電又は過渡電流（transient）により生成される。このため、特定の過電圧条件又はサージから機器を保護するために設計された内部過渡電圧サージ抑制装置を持つことは、電子機器において珍しいことではなく、あるいは、過渡電圧サージ抑制装置を持つことは、電力分配システムにおいて電子機器に電力供給するライン側回路においても珍しいことではない。過渡電圧保護設備を一般的に採用する電気設備の例は、電気通信システム、コンピュータシステム、及び制御システムを含む。
【０００３】
電力システムにおける過渡電圧サージ抑制装置は、指定された電気回路（circuitry）を保護するために一般に採用され、電気回路は、電気設備の高価な要素、臨界負荷（critical load）、又はシステムにより電力供給される関連する電子装置を含むことができる。サージ抑制装置は、通常、高インピーダンスを示すが、過電圧事象が生じたとき、装置は、過電圧が誘発する電流を電気接地（ground）に短絡（shunt）又は迂回するよう低インピーダンス状態に切り替わる。これにより、損害を与える電流は、関連する負荷側電気回路に流れることからそらされて、それ故、対応する設備、負荷及び電子装置を損害から保護する。しかし、改良が望まれる。
【発明の概要】
【発明が解決しようとする課題】
【０００４】
電力システムは、通常動作状態において、かなり狭い範囲内の電圧を受けている。しかし、落雷及び開閉（switching）サージなどのシステム外乱は、通常動作状態の間に電気回路が経験するレベルを超えた瞬間的又は拡大された電圧レベルを生成することができる。これらの電圧変化は、しばしば過電圧状態として参照される。上記のように、過渡サージ抑制装置は、そのような過電圧状態に対して電気回路を保護するために発展してきた。
【０００５】
過渡サージ抑制装置は、通常、バリスタと呼ばれる、電圧依存、非線形抵抗素子を1つ以上有し、これは、例えば、酸化金属バリスタ（metal oxide varistor: MOV）とすることができる。バリスタは、通常動作電圧にあるとき、比較的高い抵抗を持ち、過電圧状態と関連するような、より高い電圧にあるとき、かなり低い抵抗を持つことを特徴とする。バリスタを通る電流経路のインピーダンスは、装置が低インピーダンスモードで動作しているときに保護されている電気回路のインピーダンスよりも実質的に低く、そうでなければ保護された回路のインピーダンスよりも実質的に高い。過電圧状態が生じると、バリスタは、高インピーダンスモードから低インピーダンスモードに切替わり、過電圧により誘発された電流サージを保護された電気回路から離し、電気接地に短絡又は迂回させ、そして、過電圧状態が低下すると、バリスタは、高インピーダンスモードに戻る。
【０００６】
既存の過渡サージ抑制装置は、過渡過電圧事象から電力システム及び電気回路を保護することに幾分成功し得たが、それにもかかわらず、それらは、過渡電圧抑制装置が保護するよう意図した負荷側電気回路に損害を与えてしまう可能性がある特定の失敗モードに陥りやすい。
【０００７】
より詳細には、極端な過電圧事象（即ち、非常に高い過電圧状態）に応じて、バリスタは、低インピーダンスモードへ非常に高速に切り替え、そして、極度に高い電圧と電流にさらされるため、バリスタは急速に悪化し、恐らく破滅的に、時に機能しなくなる。サージ抑制装置の壊滅的破壊（catastrophic failure）は、それ自身が、保護すべく意図された負荷側電気回路への損害を引き起こす。
【０００８】
既知の過渡サージ抑制装置に対するその他の問題は、過電圧状態が一定期間持続した場合、低〜中程度の過電圧状態に対してさえ、バリスタ（例えば、MOV）は、過熱し、時として滅的に機能しなくなる。MOVが導電状態にある時に破壊が生じた場合、短絡状態と電気アーク放電（arcing）が、更なる損害を導くことになるであろう。
【０００９】
そのような問題に対処するため、既知のサージ抑制装置が、直列に接続したヒューズ又は回路ブレーカーとの組み合わせで使用されてきた。このように、サージ抑制装置のバリスタが過電圧状態を完全に抑圧することができない過電圧状態において、少なくとも多少の時間の間、ヒューズ又は回路ブレーカーは、過電圧状態に起因する過電流状態により効果的に応じることができる。
【００１０】
直列に接続された過渡サージ抑制装置とヒューズ又はブレーカーは、過電圧状態に応じて電気回路を開放することに有効であり、そうしなければ過電圧状態は損害を引き起こすが、これは完全に満足な解決方法ではない。持続した過電圧状態のために、MOVが部分的に導電性になった場合において、ヒューズ又はブレーカーは、MOVを通して流れる電流がヒューズ又はブレーカーの定格（rating）以下の場合に動作しない可能性がある。そのような状態において、一定の時間を超えてMOVを通して流れる比較的小さい電流でさえ、熱暴走（thermal runaway）状態及びMOVにおける過度の熱を生成し、MOVを破壊に導く可能性がある。上記のように、これは、短絡状態、そして恐らく、現在実際に関心がある装置の壊滅的な破壊につながる。
【００１１】
上で記載した特性と信頼性の問題を別にして、直列に接続した過渡サージ抑制装置とヒューズ又はブレーカーにおいて、更なる費用と設置空間が必要となる。同様に、更なる保守の問題が、そのような直列に接続された構成要素を持つことから生じる。
【００１２】
【表１】
2013536562.tif 000003
【００１３】
【表２】
2013536562.tif 000004
【００１４】
【表３】
2013536562.tif 000005
【課題を解決するための手段】
【００１５】
上で記載した不利点を克服する小型の過渡電圧サージ保護装置の典型的な実施例を以下に記載する。様々な過電圧状態において、破壊からバリスタを確実に保護するため、以下に説明するように、特有のバリスタアセンブリ（assembly）及び異なる第１と第２の動作の遮断モードを備えた、より小さく、より安く、より効果的な装置が提供される。
【００１６】
下に示す図を参照して、非制限及び非包括的な実施例が記載され、図において、特に指示がない場合、同様の参照番号が同様の部分を参照する。
【図面の簡単な説明】
【００１７】
【図１】典型的なサージ抑制装置の斜視図である。
【図２】図１に示す装置の後部斜視図である。
【図３】図１及び２に示す装置の部分的な前部透視図である。
【図４】図１〜３に示す装置の分解図である。
【図５】図１〜４に示す装置におけるバリスタ部分アセンブリの一部の前部正面図である。
【図６】図５に示すバリスタ部分アセンブリの一部の後部正面図である。
【図７】図１〜３に示す装置のその他の分解図である。
【図８】図１〜３に示す装置における典型的な短絡遮断要素の前部正面図である。
【図９】図８の短絡遮断要素を含むはんだ付けされたアセンブリの前部正面図である。
【図１０】図９に示すアセンブリの側面図である。
【図１１】図９に示すアセンブリの後部正面図である。
【図１２】熱遮断要素を伴う図９に示すアセンブリの一部分の正面斜視組立図である。
【図１３】図１２に示すアセンブリの側面図である。
【図１４】短絡電流要素及び通常動作での熱遮断要素を含む装置を示す図である。
【図１５】熱遮断要素がバリスタを遮断するように動作する装置の第１の遮断モードを示す図である。
【図１６】熱遮断要素がバリスタを遮断するように動作する装置の第１の遮断モードを示す図である。
【図１７】短絡遮断要素がバリスタを遮断するように動作する装置の第２の遮断モードを示す図である。
【図１８】通常動作におけるその他の典型的なサージ抑制装置の部分的正面斜視図である。
【図１９】図１８と同様の図であるが、バリスタを遮断するよう動作している熱遮断要素を示す図である。
【図２０】熱遮断要素が示されていない図１９と同様の図である。
【図２１】典型的なサージ抑制装置のその他の実施例の部分的分解図である。
【図２２】通常動作状態における熱遮断要素を伴う図２１に示す装置の第１の組立図である。
【図２３】図２２と同様の図であるが、バリスタを遮断するよう動作している熱遮断要素を示す図である。
【図２４】図２３と同様の図であるが、熱遮断要素を取り除いた図である。
【図２５】典型的なサージ抑制装置のその他の実施例の斜視図である。
【図２６】通常動作状態における熱遮断要素を伴う図２５に示す装置の部分的組立図である。
【図２７】図２６と同様の図であるが、熱遮断要素の内部構造を示す図である。
【図２８】図２７に示す装置の斜視図である。
【図２９】図２７と同様の図であるが、バリスタを遮断するよう動作している熱遮断要素を示す図である。
【図３０】図２９に示す装置の斜視図である。
【図３１】典型的なサージ抑制装置のその他の実施例の斜視図である。
【図３２】通常動作状態における熱遮断要素を伴う図３１に示す装置の部分的組立図である。
【図３３】図３２と同様の図であるが、熱遮断要素の内部構造を示す図である。
【図３４】図２７に示す装置の斜視図である。
【図３５】図３３と同様の図であるが、バリスタを遮断するよう動作している熱遮断要素を示す図である。
【図３６】図３５に示す装置の斜視図である。
【図３７】熱遮断要素を備えない図３３と同様の図である。
【図３８】図３７と同様の図であり、動作の第１の段階における装置を示す図である。
【図３９】図３８と同様の図であり、動作の第２の段階における装置を示す図である。
【図４０】サージ抑制装置のその他の実施例の部分的分解組立図である。
【発明を実施するための形態】
【００１８】
図面を参照し、図1は、一般的に薄く、長方形の箱型筺体102を有する典型的なサージ抑制装置100の斜視図である。このため、図示される例において筺体102は、相対する正面（main face）又は側面（side）104と106、側面104と106の隣接する端部（adjoining edge）を相互連結している上部と下部面又は側面108と110、そして側面104と106の隣接する端部と上と下の側面108、110の隣接する端部を相互連結している側部面112と114を含む。全ての側面104、106、108、110、112及び114は、一般的に平らで、平坦であり、一般的に直角の筺体102を形成するため、それぞれの相対する側面と一般的に平行に広がる。その他の実施例において、筺体102の側面は、平らで、平坦である必要はなく、あるいは直角に構成される必要はない。筺体102の様々な幾何形状が可能である。
【００１９】
更に、示された実施例において、筺体の正面106は、装置100の前面として時には参照され、その中で又はそこを通して拡張する開口（opening）や隙間（aperture）のない実質的に同一の（solid）側面であり、一方で、筺体正面104（図２においても示される）は、後面として参照することができる。前面106と異なり、後面104は、側面108、112、及び114に隣接した装置100の周囲にのみ広がる。即ち、示される典型的な実施例における後面104は、後面上で装置100の部品を露出する大きな中央開口部を持つフレームのような要素である。このように、前側面106は、装置100の前側面上で装置100の内部部品を完全に覆い、保護するが、一方、後側面104は、後側面上で装置100の部品を一般的に露出する。しかし、筺体102のその他の構成が可能であり、その他の実施例において、装置100の前側面及び後側面に対する囲いの様々な角度を供給するために使用することができる。
【００２０】
【表４】
2013536562.tif 000006
【００２１】
筺体102の上側面108は、一般的に細長い開口部116を伴い形成され、そこを通し、以下で記載する熱遮断要素の一部分が、装置100の状態を視覚的に示すために突出される。筺体102の下側面110は、同様に（図示されていない）開口部を含み、そこで、指示タブ204が、装置の状態の視覚的指示を提供するため突出される。
【００２２】
筺体102は、鋳造（molding）などのような既知の技術に従い、プラスチックなど、絶縁材料又は電気的に非伝導な材料から形成することができる。しかし、更なる、及び／又は代替の実施例において、筺体102を組み立てるため、その他の非導電材料及び技術が可能である。更に、筺体102は、以下に記載するバリスタアセンブリの少なくとも前面に対する囲いを集団的に規定する2以上の部分から形成し、組み立てることができる。
【００２３】
ブレード（blade）端子120と122は、示された実施例において、筐体102の下側面110から伸びている。ブレード端子120と122は、面取りした先端とそこを通る開口部を有する一般的に平らな導電性要素である。更に、ブレード端子120と122は、空間的に離れて、互いにオフセット（offset）され、しかし一般的に平行な平面である。第１の端子120は、後側面104により近く、後側面104に対する平行面で伸び、一方、端子122は前側面106により近く、前側面106に対する平行面で伸びる。端子のその他の構成は、その他の実施例において可能であり、示されたブレード端子が必ずしも必要でないということが認識される。即ち、ブレードタイプの端子以外の端子が、以下に簡単に記載するように、電気回路に電気的接続を確立するために、必要であれば、同様に提供することができる。
【００２４】
ブレード端子122と120は、回路基板、又は電気回路に接続されたその他の装置へのプラグイン接続で、電源供給ライン（power line）124、及び128で示される接地ライン、接地面又は中性線（neutral line）とそれぞれ接続することができる。以下に記載するバリスタ要素は、端子120と122の間に、装置100内で接続される。バリスタ要素は、電源供給ライン124での過電圧状態の事象において、接地への低インピーダンス経路を供給する。接地への低インピーダンス経路は、そうしなければ潜在的に損害を与える電流を電源供給ライン124に接続された下流の（downstream）電気回路から離して、避けるように効果的に導く。通常動作状態において、バリスタは、電源供給ライン124の電流を効果的に引き込まず、電圧に影響を及ぼさないよう、バリスタは、高インピーダンス経路を供給する。バリスタは、単独で、又はその他の装置100との組み合わせのどちらか一方において、電源供給ライン124の電圧を管理するため、高インピーダンスと低インピーダンスモードの間を切り替えることができる。更に、そして以下に説明するように、バリスタが壊滅的に破壊されないであろうことを保証するため、電源供給ライン124において異なり動作する過電圧状態に応答して、少なくとも2つの動作の別個のモードで、バリスタは電源供給ライン124から遮断することができる。一旦遮断されると、装置100は、取り除かれ、置き換えられなければならない。
【００２５】
図２は、示された装置100の後部斜視図であり、バリスタアセンブリ130の後側面が露出されている。バリスタアセンブリ130は、絶縁性の基本プレート132とバリスタ要素134を含む。端子120、122は、バリスタアセンブリ130の反対側の側面上で示される。電源供給ライン124の電圧電位（potential）は、端子120、122を挟んで、そして同様に、バリスタ要素134に渡り置かれる。
【００２６】
図３は、バリスタアセンブリ130、短絡遮断要素140、及び熱遮断要素142を含む装置100の部分的な前部斜視図であり、各々がバリスタ134を遮断する異なるモードを供給する。短絡遮断要素140及び熱遮断要素142は、それぞれ、絶縁性基本プレート132の他方の側で、バリスタ134に対向して設置される。端子122は、短絡電流要素122に接続され、端子120は、バリスタ134に接続される。
【００２７】
任意に、そして、図３に示されるように、筐体102の1以上の側面は、全体に又は部分的に透明にすることができ、これにより、バリスタアセンブリ130、短絡遮断要素140、及び熱遮断要素142の１つ以上が、筐体102を通して見られる。あるいは、バリスタアセンブリ130、短絡遮断要素140、及び熱遮断要素142の選択された部分を見せるため、筐体に窓を付けることができる。
【００２８】
図４は、装置100の後部分解図であり、装置100は、左から右に、端子120、バリスタ134、絶縁性基本プレート132、短絡要素140、熱遮断要素142、及び端子122を含む。図７は、図４とは逆に、分解された前面から見た同一構成が示される。筐体102は図４と７には示されていないが、図４と７に示される部品は、図示された実施例の図１と２に示されるように、一般的に筐体102に含まれている、又は筐体102を通して露出されるということが理解される。
【００２９】
バリスタ134は、酸化金属バリスタ（MOV）など、非線形のバリスタ要素である。MOVはよく理解されたバリスタ要素であるため、ここでは、詳細には記載しないが、ただし、バリスタは、対向する、一般的に平行な面又は側面150と152、そしてわずかに丸めた角を有する一般的に長方形の構成に形成されている。バリスタ134は、一般的に一定の厚さを有し、全体的に同一（solid）である（即ち、何らかの窪み（void）や開口（opening）を含まない）。それらは技術的に理解されているが、MOVは、高インピーダンス状態又はモードから低インピーダンス状態またはモードへ切り替えるため、印加された電圧に応答する。バリスタは状態を切り替えて、過電圧状態における熱を消散させ、ここで、端子120と122の間に掛けられた電圧は、MOVにおける制限（clamping）電圧を超え、MOVは電流を電気接地へ分流させるために導電性になる。
【００３０】
上記したような従来のサージ抑制装置と異なり、バリスタ134は、エポキシに埋め込まれた、そうでなければカプセル化されたバリスタ要素である必要がなく、これは、そのようなカプセル化に対する何らかの必要性を取り除いた装置100の構成及び組み立てのためである。バリスタ134をカプセル化することに関連した製造ステップとコストは、これにより回避される。
【００３１】
端子120は、バリスタ要素134の側面152に表面実装された一般的に平面の導電性部品として形成される。端子120は、既知の技術に従い、1枚の導電性の金属又は金属合金から製造され、図示した実施例に示されるように、バリスタ要素134の輪郭に形状的に補完する一般的に四角の上部部分、及び図に示されるように、そこから伸びる接触ブレードを含む。端子120の四角の上部部分は、技術的に既知の高温はんだを用いて、バリスタの側面152にはんだ付けされる。端子120の四角の上部部分は、バリスタ134との広い接触範囲を供給する。その他の実施例において、端子120は、要望に従い、多種のその他形状を持つことができ、接触ブレードは、示されるような一体に形成される代わりに、分離して供給することができる。
【００３２】
バリスタ要素134の側面150は、表面実装された端子120を含む側面152に対向し、次に記載するように、基本プレート132に表面実装される。
【００３３】
図５と６にそれぞれ後面図と正面図で示されるように、基本プレート132は、電気的に非導電性又は絶縁性の材料から、一般的に四角形状で、対向する面又は側面160と162を有するように形成された薄い要素である。１つの実施例において、プレート132は、セラミック材料から生成することができ、より詳細には、バリスタ要素134に対し強固な構造的基礎を与えるため、更に以下で説明するように、装置100が動作するとき、電気アーク放電に有効に耐えられるよう、アルミナセラミックから生成することができる。もちろん、その他の絶縁材料が知られており、その他の実施例において、プレート132を生成するために利用できる。
【００３４】
（図５と６に示される）側面160上で、プレート132は、中央部に設置され、四角形状の平坦な接点164を備え、これは、めっき処理又は技術的に既知のその他の技術で、導電性材料から形成することができる。反対の側面162上では、プレート132は、中央部に設置され、四角形状の平坦な接点166を備え、これは、同様にめっき処理又は技術的に既知のその他の技術で、導電性材料から形成することができる。接点164、166の各々は、プレート132のそれぞれの側面160、162上で接触範囲を定義し、図示される典型的な実施例に示されるように、接点166は、側面160上の接点164における対応する接触範囲よりも、より大きい接触範囲を側面162上に形成する。異なる割合の四角の接触範囲が示されるが、その他の実施例において、接点164、166は必ずしも四角である必要はなく、接点164のその他の幾何形状でも足りる。同様に、接触範囲の異なる割合は必ずしも必要とされず、幾つかの実施例において、任意と考えることができる。
【００３５】
図５と６に最良に示されているが、絶縁プレート132は、プレート132の厚さを通して完全に伸びる貫通穴を更に備える。貫通穴は、めっきすることができ、あるいは、それぞれ側面160と162上の接点164と166を相互接続する導電性ビア（via）168を形成するため、導電性材料で満たすことができる。このように、導電性の経路が、接点164、166、及びビア168により、プレート132の１つの側面160からもう一方の側面162まで伸びるよう供給される。
【００３６】
図５に示されるように、典型的な実施例において、プレート132の側面は、約38 mmの寸法dを共有し、プレートは、示される例において、約0.75から1.0 mmの厚さtを有する。もちろん、その他の寸法も可能であり、採用することができる。
【００３７】
図６に示されるように、プレート132の側面160は、接点164に加え、短絡要素140のためのアンカー（anchor）要素170を含む。アンカー要素170は、側面160の表面上に形成されためっきされた又は印刷された要素とすることができ、導電性材料から生成される。アンカー要素170は、側面160の表面上で電気的に隔離され、短絡電流要素140が設置されるときのみ、機械的な保持（retention）を目的として働く。アンカー要素140に対する典型的な形状が示されるが、様々なその他の形状が可能である。
【００３８】
図４、７及び８において見られるように、短絡遮断要素140は、互いに対抗する後面180と前面182を含む一般的に平坦な導電性要素である。より詳細には、短絡遮断要素140は、アンカー部184、アンカー部184から伸びる側部導体186と188、アンカー部184から縦方向に空間を有するが、導体186、188と相互接続する接触部190を含むよう形成される。導体186と188は、アンカー部184の側部の端から、ある長さで縦方向に上向きに伸び、およそ180°曲がり、その他の長さでアンカー部184に向けて下向きに伸び、そして約90°曲がり、接触部190に到達して接触する。接触部190は、示された例において、プレート接点164における接触範囲とほぼ等しい接触範囲を有する四角形状で形成される。
【００３９】
接触部190は、プレート接点との間の熱遮断接合（junction）を形成するため、低温度のはんだを用いてプレート接点164に表面実装することができ、一方、アンカー部184は、高温度のはんだを用いてプレートアンカー要素170に表面実装される。この結果、アンカー部184は、プレート132の側面160上の固定位置に効果的に実装されて固定され、一方、以下に更に記載されるように、低温度接合が弱くなったとき、接触部190は、プレート接点164から動いて引き離される。
【００４０】
短絡遮断要素140の導体186と188は、弱スポット（weak spot）と呼ばれることもある、狭められた断面領域を持つ狭域部（narrowed section）192で更に形成される。短絡電流状態に陥ったとき、弱スポット192は、導体186と188がもはや電流を伝導しないよう、溶けて分解し、それ故、電源供給ライン124（図１）からバリスタ要素134を遮断する。導体186と188の長さ、これは180°の曲がりにより長くなる、そしてまた弱スポットの数と範囲は、導体186、188における短絡速度（rating）を決定する。このため、短絡速度は、導体186、188の異なる構成により変更することができる。
【００４１】
図４に最良に示されるように、短絡遮断要素140は、更に、アンカー部184の面の外側に拡張する保持（retainer）部194とレール（rail）部196、導体186、188、及び接触部190を含む。保持部194は、以下で記載されるように、熱遮断要素142と協働する開口198を有し、レール196は、熱遮断要素142の取り付け及び移動に対する誘導機構として働く。
【００４２】
端子122は、図示した例において、短絡遮断要素140から分離して提供される要素として示される。端子122は、典型的な実施例において、アンカー部184に溶接される。しかし、その他の実施例において、端子122は、アンカー部184と統合して供給され、又はアンカー部184に取り付けられる。
【００４３】
図４と７に示されるように、熱遮断要素142は、例えば、成型されたプラスチックから組み立てられた非導電本体200を有する。本体200は、反対向き伸びるに指示タブ204と206、バイアス（bias）要素ポケット208と210、及びその側面上で縦方向に伸びる細長スロット212と214で形成される。スロット212と214は、熱遮断要素142が設置されるときにレール196（図４）を受け入れ、ポケット208と210は、らせん（helical）圧縮バネの形式でバイアス要素216と218を受け入れる。
【００４４】
指示タブ206は、短絡遮断要素140の保持部194内の開口198（図４）を通して挿入され、バネ216、218は、（更に図１４に示されるように）レール196の上部端に置かれ、保持部194に対して上方向に向けられたバイアス力を与える。通常動作において、接触部190は、プレート接点164（図７）にはんだ付けされるため、バイアス力は、はんだ付けされた接合を打開するのに不十分であり、接触部190は、静的に均衡し、定位置を維持する。しかし、低〜中程度であるが持続された過電圧状態においてなど、はんだ付けされた接合が弱められるとき、保持部194上に働くバイアス力は、弱められたはんだ付け接合を圧倒し、接触部190をプレート接点164から取り離すことになる。
【００４５】
図８は、装置100に対する製造ステップの前部組立図であり、端子122が、短絡遮断要素140のアンカー部184に溶接される。短絡遮断要素140と端子122との間の安全な機構及び電気接続は、それ故、保証される。
【００４６】
図９は、バリスタアセンブリ130に実装された短絡遮断要素140を示す。特に、接触部190は、低温度のはんだを用いて、プレート接点164（図６と７）に表面実装され、アンカー部184は、高温度のはんだを用いて、プレートアンカー要素170（図６と７）に実装される。
【００４７】
図１０と１１は、また、高温度のはんだを用いてバリスタ要素134に表面実装された端子120を示す。図１０に最良に示されるように、バリスタ134は、端子120とプレート132の一面の間に挟まれ、プレート132は、バリスタ134と短絡遮断要素140の間に挟まれる。部品の直接的な表面実装組み合わせのため、小型のアセンブリは、既知のサージ抑制装置と比較して、装置100にかなり縮小した厚さT（図１）を与える結果となる。
【００４８】
図１２と１３は、図９に示されるアセンブリに導入される熱遮断要素142を示す。タブ206は、短絡遮断要素140の保持部194を通して挿入され、スロット212、214は、レール196（図４にも示される）上で受け入れられる。バイアス要素216、218（図４）は、設置時に遮断要素142により圧縮される。
【００４９】
図１４は、通常状態における、短絡電流要素140と熱遮断要素142を伴う装置100を説明する。熱遮断要素142のバイアス要素216と218は、上方向に向けられたバイアス力（図１５において矢印Fにより示される）を供給する。しかし、通常状態において、バイアス力Fは、プレート接点164（図６と７）に対する短絡遮断要素140の接触部190のはんだ付けされた接合を取り除くには不十分である。
【００５０】
図１５と１６は、装置の第１の遮断モードを説明し、ここでは、熱遮断がバリスタ134を遮断するよう動作する。
【００５１】
図１５と１６に示されるように、過電圧状態において、バリスタ要素が熱くなり、導電性になる時、はんだ付けされた接合が弱まるに従い、バイアス力Fは、弱められたはんだ付けされた接合を解放のポイントまで対抗し、図１６に示されるように、バイアス要素は、熱遮断要素142がレール196上を線形方向に軸に沿って離れて動くようにする。熱遮断要素142のタブ206が、短絡電流要素140の保持部194に連結されているため、熱遮断要素142が動くとき、保持部190もそうであり、接触部190をプレート接点164から引き離す。プレート132を通した電気接続は、それ故切断され、バリスタ134は、端子122と電力ライン124（図１）から遮断されることになる。
【００５２】
接触部190が移動することに従い、接触部190の元のはんだ付けされた位置と図１６に示されるその変位した位置との間で、アークギャップ（arc gap）が生成される。生じる可能性のある何らかの電気アーク放電（arcing）は、絶縁プレート132と熱遮断要素142との間のギャップで安全に封印され、絶縁プレート132の対向する側面上でバリスタ要素134から機械的及び電気的に分離される。
【００５３】
図１６の中の領域230で示されるように、熱遮断要素142が動くと、バイアス要素は、熱遮断要素142上に十分な力を生成し、熱遮断要素142が解放されて、接触部190の付近で、導体186、188を折り、曲げ、あるいは変形させる。導体186、188は、導電性材料（典型的には0.004インチ又はそれより少ない厚さを有する）の薄く、柔軟なリボンとして形成されるため、熱遮断要素142が動き始めると、それらは、比較的簡単に変形する。図１６に示されるように、熱遮断要素142は、装置100が作動して、交換を必要とするという視覚的指示を提供するため、指示タブ206が筐体102（図１）の上側面108を通して突出するまで、直線軸に沿って上向きに動くことができる。
【００５４】
図１７は、装置100の第２の遮断モードを説明し、短絡遮断要素140は、バリスタ134を端子122と電源供給ライン124（図１）から遮断するよう動作している。図１７に見られるように、導体186と188は、弱スポット192（図４と７）において崩壊し、短絡遮断要素140のアンカー部184と接触部190との間で、もはや電流を流すことはできない。プレート接点164及び導電性ビア168のバリスタ要素134が存在するプレート132の反対面への電気接触は、それ故に壊れ、従って、バリスタ134は、端子122と電源供給ライン124にもはや接続されない。短絡遮断要素140は、極度の過電圧事象において、短絡遮断要素140が要求する時間よりはるかに少ない時間で、そのような方法で動作するであろう。熱保護要素142が動作するまでの時間前のバリスタ要素134の急速な破壊、及び結果としての短絡状態もまた、それ故に避けられる。
【００５５】
図１８〜２０は、上記した装置100に、多くの点で似ているサージ抑制装置300のその他の典型的な実施例を説明する。このため、装置300と100の共通的な特徴は、図１８〜２０において、同様の参照文字で示される。共通の特徴は、上で詳細に記載されるため、それ故に、これ以上の議論は必要ないと思われる。
【００５６】
装置100と異なり、バリスタアセンブリ130は、熱遮断要素142により支えられる分離可能な接触ブリッジ302（図２０に最良に示される）を更に備える。接触ブリッジ302の互いに反対の端部308、310は、短絡要素140の末端部304、306にそれぞれ、低温度のはんだではんだ付けされる。ブリッジ302の接触部190は、同様に、基本プレート132の接点164（図７）に低温度のはんだではんだ付けされる。
【００５７】
図１８に示されるように、装置300の通常動作において、ブリッジ302の端部308、310及び接触部を接続する低温度のはんだ接合部は、上記のように、装置100を通る電流の流れに耐えるには十分に強い。
【００５８】
過電圧状態においてバリスタ要素が熱を持ち、導電性になったとき、低温度のはんだ接合が弱められることに従い、バイアス力Fは、弱められたはんだ付けされた接合を解放のポイントまで反対に作用し、ブリッジ302の端部308、310及び接触部190は、短絡要素140の端部304、306及び基本プレート132の接点164から分離する。これが起こると、図１９と２０に示されるように、熱遮断要素142のバイアス要素は、熱遮断要素142が動かされて、直線方向に軸に沿い移動されるようにする。熱遮断要素142のタブ206（図１９）が、接触ブリッジ302の保持部194（図２０）と連結されるため、熱遮断要素142が移動するに従い、接触ブリッジ302もそのようになる。従って、接点164を介したプレート132を通る電気接続は切断され、それ故に、バリスタ134は、端子122と電源供給ライン124（図１）から遮断されるようになる。同様に、接触ブリッジ302の端部308、310と短絡要素140の端部304、306との間の電気接続は切断される。これは、「３重ブレーク（triple break）」機能とも呼ばれる結果となり、接触の３点が、3つの異なる低温度はんだ接合を介して破壊される。３重ブレーク動作は、装置100より高いシステム電圧で実行するための装置300の機能を提供する。
【００５９】
装置300の短絡動作は、上記の装置100と実質上同様である。しかし、装置300は、バリスタアセンブリ130内にはんだアンカー312を含み、これは、短絡要素140が、装置300の変形もしくは動作を危険にすることなしに、例えば、高エネルギーのインパルス電流に耐えることを可能にする。そのような高エネルギーのインパルス電流は、電気システムに問題とならない、及び装置300の目的に対する関心とならない検査手順又は電流サージに起因する可能性がある。はんだアンカー312は、電気的接続を生成することなしに、短絡電流要素140を基本プレート132に接着する。示されるように、はんだアンカー312は、短絡電流要素の隣接した弱スポットの間、又は望まれるその他位置に設置することができる。
【００６０】
図２１は、更にその他の特徴及び利点を提供する典型的なサージ抑制装置400のその他の実施例の部分的分解図である。図２１に示される部品は、同様の効果で上に示し記載した筐体102など、筐体と関連する。
【００６１】
サージ抑制装置400は、短絡遮断要素140、分離可能接触ブリッジ302、基本プレート132、バリスタ要素134、及び端子120を含む。
【００６２】
基本プレート132は、導電性材料から、基本プレート132の表面408上にめっき又は印刷される幾つかの別個のアンカー要素402、404、406を含む。アンカー部分402、404、406は、１つの実施例において、以下のように構成された典型的なアンカー要素406と共に、反対側にあり、空間的に離れた組でそれぞれ供給される。アンカー要素406は、一般的に、プレート132の上部端410付近で、第１の軸（例えば、図２１に示されるような垂直の軸）に沿って互いに平行に伸びる細長い要素である。アンカー要素404は、一般的に、プレート132の反対に位置する側面端412、414の付近で、第２の軸（例えば、図２１に示されるような水平の軸）に沿って互いに平行に伸びる細長い要素である。アンカー要素402は、プレート132の底部かど近傍のより大きい要素として示され、側面の端412、414は、プレート132の底部の端416と交差する。更に、アンカー要素402の各々は、一般的に、縦方向の拡張部又はタブ420を伴う長方形のパッドである。それぞれのアンカー要素402、404及び406は、基本プレート132の表面408上で電気的に分離されているが、はんだ付けのような既知の技術を介して、プレート132上の様々な位置に短絡遮断要素140を取り付けるための様々な機械的な保持表面を提供する。典型的なアンカー要素402、404及び406が示される一方、要素402、404及び406に加えて、又はそれらの代りに、その他も可能である。アンカー要素の様々な形状と配置（geometry）、更に各種の寸法と方向が、要望により利用することができる。
【００６３】
更に、基本プレート132を通して電気経路を供給する接触ビア（via）168（図５及び６）の代りに、装置400は、プレート132に形成される中央部の貫通孔又は開口432に受け入れられる固形小片（solid slug）430を含む。示された典型的な実施例において、小片430は、プレート132の厚さとほぼ等しい厚さで形成される一般的に円盤（disk）形状の要素であり、貫通孔432は、小片430の外径よりも僅かに大きい内側寸法を有する一般的に円形の開口である。小片430と貫通孔432の様々なその他の代替形状が、更なる、及び／又は代替の実施例において可能である。
【００６４】
熟考された実施例において、小片430は、固体（即ち、その中に形成された穴のない連続的な構造）で、銀、銅又は技術的に既知のその他の適切な材料など、導電性の材料から生成することができる。小片430は、はんだ付けのような既知の技術を用いて、貫通孔432内で、プレート132に機械的に固定（secure）される。小片430は、装置400の特性を落とすことなく、上記の接触ビア168と比較して、組立品に対する比較的低コストの選択を与える。接触ブリッジ302は、基本プレート132に組み込まれた後の小片430へはんだ付けされ、はんだは、所定の電気条件に応答して、上記のように熱遮断要素142からの助けを伴い、接触ブリッジ302を解放するために選択される。図示した例において、１つの小片430が示されるが、より高い費用とより複雑な組立てを伴うにも関わらず、プレート132を通した更なる接触表面と電気接続を生成することを望む場合、複数の小片が使われることが予期される。
【００６５】
図２１に示されるような端子120は、幾つかの開口436を備えた一般的に長方形の取り付け部434を更に有する。取り付け部434は、例えば図３に示される実施例と比べ、バリスタ要素134との接続に対し、かなり大きい表面範囲を与える。示した例において、取り付け部434は、陥没又は溝438により分離された盛上がった取り付け表面を有するグリッド状の表面を更に備える。更に、溝438と開口436は、過剰な熱増加を回避するための幾らかの換気を提供する。増加した接触表面範囲のため、端子120は、バリスタ要素134への電気接続における改善された信頼性を与えると共に、組立てが簡単となる。
【００６６】
図２２は、上で説明した方法により、熱遮断要素142が組み合わされた装置400の第１の組立て図である。図２２は、通常動作状態を表示し、端子120及び122とバリスタ要素134との間の電気接続は完全であり、装置400のサージ抑制能力は、時としてサージ条件と言及される、電気過電圧状態に対処するよう動作可能である。
【００６７】
図２３は、基本プレート132の反対側に連結されたバリスタ要素134（図２１）を遮断するよう動作した熱遮断要素142を示す。図２３と２４（ここで、熱遮断要素142が示される）に示されるように、接触ブリッジ302は小片430から解放されており、端子120と122の間の電気接続は開放され、又は切断されている。接触ブリッジ302を支える熱遮断要素142は、通常状態（図２２）から動作した位置（図２３と２４）に、端子120と122の接触ブレードの縦方向の軸440に平行な軸に沿って移動可能である。
【００６８】
図２５〜３０は、上記の実施例に多くの点で似ている典型的なサージ抑制装置450のその他の実施例の様々な視点での表示であるが、図２６〜２８に示されるように、サージ抑制装置450は、代替の熱遮断要素452、及び装置450が通常動作状態にあるか、又は遮断状態にあるかを伝達するための代替の表示構成を有する。
【００６９】
図２５は、完成した装置450の斜視図である。図２６は、通常動作状態における熱遮断要素452を説明する装置450の部分的な組立図である。図２７は、図２６と似た図であるが、熱遮断要素452の内部構造を示している。図２８は、装置450の斜視図である。図２９は、図２７と似た図であるが、バリスタ要素134を遮断するよう動作した熱遮断要素を示している。図３０は、装置450の斜視図である。
【００７０】
図２５〜３０に示されるように、熱遮断要素452は、バリスタアセンブリと内部部品の周りに囲いを形成するための筐体102と内部適合（interfit）する非導電基部454上に取り付けられる。図２６〜２９に示されるように、小片430を含むバリスタ要素134は、１つの側面で端子122に連結され、熱遮断要素452は、バリスタ要素134の反対の側面に連結される。この実施例におけるバリスタ要素134は、先の実施例の基本プレート132を省略することができるよう、エポキシカプセル化したバリスタ要素とすることができる。代わりに、基本プレート132は、非エポキシカプセル化したバリスタ要素と共に含めることができる。
【００７１】
熱遮断要素452は、分離可能な接触ブリッジ456を支持し、接触ブリッジがバリスタ要素134を通して電気接続を達成する通常又は接続位置（図２６）から、接触ブリッジ456が小片430から解放されて、バリスタ要素134への電気接続が切断される遮断位置（図２９）まで、レール458、460上を移動可能である。上記の幾つかの実施例と同様、分離可能な接触ブリッジ456は、３つの別個の位置において低温度のはんだではんだ付けされ、上記した「３重ブレーク」機能を提供する。上記の実施例と異なり、熱遮断要素452は、端子120と122の接触ブレードの縦方向の軸440（図２９）を横断する軸に沿い移動可能である。このため、上記の実施例のように、軸440に平行に移動する代わりに、熱遮断要素452は、端子の軸440に垂線な軸に沿って移動する。別の言い方では、熱遮断要素452は、上記のように、装置の接続端子から上向きに離れて移動する代わりに、筐体102内で、左右に移動する。
【００７２】
熱遮断要素452は、既知の技術に従い、プラスチックなどの非導電性材料から形成することができ、コイルバネなどの1組のバイアス要素462、464により、遮断位置に向けてバイアスされる。しかし、より少ない又はより大きいバイアス要素、更に異なるタイプのバイアス要素を用いて、様々な適応が可能である。
【００７３】
示された実施例における熱遮断要素452は、軸440に平行な方向において、バリスタ要素134より大きい寸法であり、軸440に垂直な方向において、バリスタ要素134より小さい。即ち、バリスタ要素134の高さは、図２６〜２９に示されるように、バリスタ要素134の対応する高さより高く、しかしバリスタ要素134の幅は、図２６〜２９に示されるように、バリスタ要素134の対応する高さより小さい。リモート状態アクチュエータ466は、バリスタ要素134と筐体基部454の間の位置で熱遮断要素452により取り付けられて、支持されることができ、指示面468は、熱遮断要素452により取り付けられて、支持される。リモート状態アクチュエータ466と指示面468は、熱遮断要素452と分離して、又は統合して備えることができ、示された例において、アクチュエータ466と指示面468は、バリスタ要素134の面に垂直な面で伸ばされる。装置450が動作するとき、リモート状態アクチュエータ466及び指示面468は、熱遮断要素と共に動き、それぞれ、遠隔監視を目的とした信号を生成するため、筐体基部454上に設置されたマイクロスイッチ又はその他の要素を始動させ、一方で、装置450の上部において局部指示を供給する。
【００７４】
図２８と３０に最良に示されるように、指示器468は、その反対側の端470と472上で、第１及び第２の色を備える。熱遮断要素452が通常動作位置にあるとき、第１の端部470は、筐体102に形成された開口116を通して見られるように位置付けされる。しかし、熱遮断要素452が遮断位置にあるとき、指示器468は、第２の端部472が開口116を通して見られるように位置付けされるように動かされる。このため、第１及び第２の端部470、472に対照的な色を与えることにより、単純に開口116を通して指示器468を視覚的に検査することにより、装置が動作したか否かを簡単に見ることができる。露出された色は、装置450の状態を示すだろう。その他の実施例において、画像、シンボル、又はその他の色のない印が、記載したような色分さられた要素の代りに、装置の状態を示すための同様な効果で使用することができる。
【００７５】
図３０に示すように、筐体基部454は、熱遮断要素452が通常位置から遮断位置まで動くとき、リモート状態アクチュエータ466により作動されることになるマイクロスイッチ又はその他の要素の一部分を収容することができる開口を含む。
【００７６】
図３１〜３６は、典型的なサージ抑制装置500のその他の実施例の様々な視点の図を示し、上記の実施例に幾つかの点で似ており、しかし更なる代替の熱遮断要素502と代替の指示機構を有する。
【００７７】
装置500は、上記の装置450と似ているが、通常動作位置（図３３、３４）と遮断位置（図３５、３６）との間で、端子の軸440に平行な軸に沿い移動するよう構成された熱遮断要素502を含む。熱遮断要素502は、筐体102（図３４と３６）の内部側面の表面上に形成された溝（channel）又はレール504、506をスライド可能である。コイルバネなどバイアス要素508、510は、バリスタ要素134を遮断するため、小片430からの接触ブリッジ456の解放を容易にするように熱遮断要素502と協働する。拡張部512、514は熱遮断要素502の側面上に形成され、装置500の作動に従い、熱遮断要素502がバイアス要素508、510の力により移動されるとき、熱遮断要素502をガイドするためのレール504、506と協働する。
【００７８】
マイクロスイッチ516は、バリスタ要素134の上部の位置において、筐体102内部の位置に備え付けられる。マイクロスイッチ516は、図３５と３６に示されるように、熱遮断要素502が動作するとき、熱遮断要素により作動される。局部指示タブ518、520は、熱遮断要素502上に備えることもでき、タブ518、520は、熱遮断要素502が遮断位置にあるとき、筐体102内の開口を通して突出する。しかし、通常動作位置において、タブ518、520は、筐体102内部に完全に含まれ、見ることができない。このように、装置500の視覚的検査を通し、指示タブ518、520の存在（又は不在）により、装置500が動作したか否かを知ることができる。
【００７９】
図３７〜３９は、装置が動作するときに装置の３重ブレーク動作を説明する熱遮断装置のその他の実施例を示す。接触ブリッジ456は、第１の場所において小片430とはんだ付けされ、第２及び第３の位置534と536において端子120とはんだ付けされる。はんだ付けされた接続532、534及び536が、バリスタ要素134を通して流れる電流により熱せられると、接触ブリッジ456は動き始め、位置534、536で電気接続を切断し、一方、電気接続532はそのままである。これが起こると、図３８に示されるように、電気アーク放電は、まず場所534と536を介して平行に分割される。その後すぐに、図３９に示されるように、小片430との電気的接触が破壊されると、図３８に示される分割されたアークの位置の間の第３の位置において、電気アーク放電が生じる。アーク長の分離は、接触ブリッジ456が最終的な遮断位置まで完全に移動するに従って増加し、アーク放電は接触ブリッジ456が最終位置につくと完全に止まる。
【００８０】
記載したように、この例における接触ブリッジ456は、端子120に直接はんだ付けされ、上記のその他の実施例のような短絡遮断要素140は備えていない。高電圧DCのアプリケーションにおいて、図３７〜３９で示された構成は、バリスタ要素134から独立し、装置を通した電気接続を遮断するために、短絡遮断要素140、ヒューズ、又はその他の代替の要素なしで効果的に実行することができる。更に、短絡遮断要素がそのような実施例において望ましいという範囲において、上記の実施例に関連して示され、記載された短絡遮断要素140からかなり単純化することができる。
【００８１】
更に、図３７〜３９に示される構成は、上で議論したその他の実施例に関連して記載された基本プレート132を必要としないエポキシカプセル化されたMOVを有することができる。その他の実施例において、基本プレート132は、要望により有することができる。
【００８２】
図４０は、サージ抑制装置600のその他の実施例の部分的な展開組立図である。
【００８３】
アセンブリは、上記した３重ブレーク機能を提供する第１の端子602、熱遮断要素604、接触ブリッジ606及びバイアス要素608、610を有する。端子602は基本プレート132の１つの表面にはんだ付けされ、熱遮断要素604は上記の熱遮断要素と同様に動作する。
【００８４】
端子602の反対側の基本プレート132の側面上で、プレート接点612が備えられ、そこにはんだ付けされる。プレート接点612は、基本プレート132、及び基本プレート132の反対側のプレート接点612の側面に取り付けられたバリスタ要素134の対向する表面と実質的に同一の広がりを持つ表面範囲を有する。プレート接点612は、基本プレート132内の開口616を通して挿入される盛上がった接触部614を有する。従って、接触部614は、基本プレート132の反対側で露出され、接触ブリッジ606は、そこにはんだ付けされる。プレート接点612は、銀などの技術的に既知の導電性材料から生成することができ、その比較的大きな表面範囲のため、上記の実施例に対し、装置600を通した改善された熱及び電気伝導を供給する。
【００８５】
第２の端子618は、組立品を完成するため、プレート接点612に対向するバリスタ要素134の側面にはんだ付けされる。かなりコンパクトに、それでいて有効な装置構成が提供される。
【００８６】
発明の恩恵と利点は、記載された典型的な実施例から明らかになるはずである。
【００８７】
過渡電圧サージ抑制装置の１つ実施例は、バリスタアセンブリを有し、バリスタアセンブリは、対向する第１及び第２の側面を持つバリスタ要素、印加された電圧に応じて高インピーダンスモードと低インピーダンスモードで動作可能なバリスタ要素、バリスタの第１の側面上に備えられた第１の導電性端子、バリスタ要素の第２の側面上に備えられた第２の導電性端子、第１及び第２の端子の１つとバリスタとを相互接続する分離可能接触ブリッジ、熱遮断要素、バリスタ要素に対し直線軸に沿い、熱遮断要素を支え、移動可能な分離可能接触ブリッジを有する。
【００８８】
任意に、装置は、バリスタ要素の第１の側面に備えられた接点、その接点に接続される分離可能接触ブリッジを更に含むことができる。接点は、接触小片と接触プレートの１つを含むことができる。
【００８９】
熱遮断要素は、レールに沿いスライド可能に移動可能であり、遮断位置に向けてバイアスをかけられる。第１の導電性端子は、縦方向の軸を有する端子ブレードを有することができ、熱遮断要素は、縦方向の軸に平行な軸に沿って移動可能であり、又は縦方向の軸に垂線な軸に沿って移動可能とすることができる。
【００９０】
装置は、局部状態指示器を有することもできる。局部状態指示器は、装置が第１の動作状態にあるときに少なくとも第１の色を表示し、装置が第２の動作状態にあるときに少なくとも第２の色を表示することができる。局部状態指示器は、第１の位置と第２の位置の間で、スライド可能に移動可能である。局部状態指示器は、熱遮断要素に連結することができ、及び熱遮断要素と共に移動可能である。装置は、筺体を有し、筺体内に設置されたバリスタアセンブリを有し、ここで、局部状態指示器は、第１及び第２のタブを有し、第１及び第２のタブは、装置の遮断動作状態を示すため、筺体から突き出る。
【００９１】
装置は、リモート状態指示器を有することもできる。リモート状態指示器は、スイッチを有することができる。スイッチは、装置が遮断状態にあるとき、熱遮断要素により作動できる。
【００９２】
バリスタ要素は、エポキシコーティングされた酸化金属バリスタとすることができる。第１の導電性端子と第2の導電性端子の各々は、端子ブレードを有することができる。第１の導電性端子と第2の導電性端子の少なくとも１つは、陥没により分離された盛上がった取り付け表面を持つ表面を有することができる。
【００９３】
絶縁基本プレートは、バリスタ要素に対して動かないよう取り付けられ、絶縁プレートは、対向する第１と第２の側面を有し、バリスタの対向する第１と第２の側面の１つはプレートの対向する側面の１つに表面実装される。絶縁基本プレートは、セラミックプレートを有することができ、セラミックプレートは、アルミナセラミックを有することができる。絶縁基本プレートは、絶縁基本プレートの対向する側面を通り抜け、その間で伸びる接触要素を有することができる。絶縁基本プレートは、中央の開口を有し、接触要素が開口を満たす。接触要素は、実質上円形とすることができる。接触要素は、はんだ小片とすることができる。接触要素は、プレート接点とすることもでき、プレート接点は絶縁基本プレートの対向する側面を通り抜け、その間で伸びる突起部分を有する。
【００９４】
装置は、短絡遮断要素を有することができ、このため、装置における動作の少なくとも第１及び第２のモードを提供する。
【００９５】
過渡電圧サージ抑制装置のその他の実施例は、バリスタアセンブリを有し、バリスタアセンブリは、対向する第１及び第２の側面を有するバリスタ要素、印加された電圧に応じて高インピーダンスモードと低インピーダンスモードで動作可能なバリスタ要素、バリスタの第１の側面上に備えられた第１の導電性端子、バリスタ要素の第２の側面上に備えられた第２の導電性端子、第１及び第２の端子の１つとバリスタとを相互接続する分離可能接触ブリッジ、バリスタ要素に３重ブレーク遮断を供給するよう構成された分離可能接触ブリッジを有する。
【００９６】
任意に、分離可能接触ブリッジは、第１及び第2の導電性端子の１つに直接的に接続される。バリスタ要素は、エポキシカプセル化された酸化金属バリスタとすることができる。
【００９７】
絶縁基本プレートは、バリスタ要素と表面接触することもできる。基本プレートは、その中に少なくとも１つの開口を含むことができ、装置は開口を通して伸びた接触要素を更に含む。接触要素は、接触ビア（via）、導電小片、及びプレート突起（projection）の１つとすることができる。
【００９８】
装置は熱遮断要素を更に有することができ、分離可能接触ブリッジは熱遮断要素に支持されて、バリスタ要素に対する直線軸に沿って熱遮断要素と共に移動可能である。第１及び第２の導電性端子の少なくとも１つは、縦方向の軸を持つ接触ブレードを有することができ、直線軸は縦方向の軸に平行に伸びることができる。
【００９９】
装置は、局部状態指示器を有することもでき、局部状態指示器は、熱遮断要素により支持され、熱遮断要素と共に移動可能である。局部状態指示器は、色分けすることができる。リモート状態要素を備えることもでき、リモート状態要素は熱遮断要素の動きにより作動される。
【０１００】
装置は、短絡遮断要素を更に有することができ、分離可能接触ブリッジは、第１の位置及び第２の位置において短絡遮断要素に直接に接続される。
【０１０１】
この記載は、最良モードを含む発明を開示するために、また任意の装置やシステムを製作し使用し、あるいは任意の組み合わせた方法を実行することを含んで、当業者が発明を実施することを可能とするために、例を用いている。本発明の特許の範囲は、請求項により定義され、当業者が思い付くその他の例を含むことができる。そのようなその他の例は、請求項の文字言語とは異ならない構造要素をそれらが有する場合、又は請求項の文字言語とはごくわずかに異なる同等の構造要素をそれらが有する場合、特許請求の範囲内に含まれるものとする。
【図１】
2013536562.tif 000007
【図２】
2013536562.tif 000008
【図３】
2013536562.tif 000009
【図４】
2013536562.tif 000010
【図５】
2013536562.tif 000011
【図６】
2013536562.tif 000012
【図７】
2013536562.tif 000013
【図８】
2013536562.tif 000014
【図９】
2013536562.tif 000015
【図１０】
2013536562.tif 000016
【図１１】
2013536562.tif 000017
【図１２】
2013536562.tif 000018
【図１３】
2013536562.tif 000019
【図１４】
2013536562.tif 000020
【図１５】
2013536562.tif 000021
【図１６】
2013536562.tif 000022
【図１７】
2013536562.tif 000023
【図１８】
2013536562.tif 000024
【図１９】
2013536562.tif 000025
【図２０】
2013536562.tif 000026
【図２１】
2013536562.tif 000027
【図２２】
2013536562.tif 000028
【図２３】
2013536562.tif 000029
【図２４】
2013536562.tif 000030
【図２５】
2013536562.tif 000031
【図２６】
2013536562.tif 000032
【図２７】
2013536562.tif 000033
【図２８】
2013536562.tif 000034
【図２９】
2013536562.tif 000035
【図３０】
2013536562.tif 000036
【図３１】
2013536562.tif 000037
【図３２】
2013536562.tif 000038
【図３３】
2013536562.tif 000039
【図３４】
2013536562.tif 000040
【図３５】
2013536562.tif 000041
【図３６】
2013536562.tif 000042
【図３７】
2013536562.tif 000043
【図３８】
2013536562.tif 000044
【図３９】
2013536562.tif 000045
【図４０】
2013536562.tif 000046
【国際調査報告】
2013536562.tif 000047
2013536562.tif 000048
2013536562.tif 000049
2013536562.tif 000050
2013536562.tif 000051